【手続補正書】
【提出日】平成26年4月30日(2014.4.30)
【手続補正１】
【補正対象書類名】特許請求の範囲
【補正対象項目名】全文
【補正方法】変更
【補正の内容】
【特許請求の範囲】
【請求項１】
（イ）観察者の頭部に装着される眼鏡型のフレーム、及び、
（ロ）フレームに取り付けられた画像表示装置、
を備えた表示装置であって、
画像表示装置は、
（Ａ）画像形成装置、及び、
（Ｂ）画像形成装置から出射された光が入射され、導光され、出射される光学装置、
を備えており、
光が出射される光学装置の領域には、外部から入射する外光の光量を調整する調光装置が配設されており、
調光装置は、
対向する２枚の透明な基板、
各基板に設けられた電極、及び、
２枚の基板間に封止された電気泳動分散液、
から成る表示装置。
【請求項２】
表示装置の置かれた環境の照度を測定する照度センサを更に備えており、
照度センサの測定結果に基づき、調光装置の透過率を制御する請求項１に記載の表示装置。
【請求項３】
表示装置の置かれた環境の照度を測定する照度センサを更に備えており、
照度センサの測定結果に基づき、画像形成装置によって形成される画像の輝度を制御する請求項１又は請求項２に記載の表示装置。
【請求項４】
外部環境から調光装置を透過した光に基づく照度を測定する第２の照度センサを更に備えており、
第２の照度センサの測定結果に基づき、調光装置の透過率を制御する請求項１乃至請求項３のいずれか１項に記載の表示装置。
【請求項５】
外部環境から調光装置を透過した光に基づく照度を測定する第２の照度センサを更に備えており、
第２の照度センサの測定結果に基づき、画像形成装置によって形成される画像の輝度を制御する請求項１乃至請求項４のいずれか１項に記載の表示装置。
【請求項６】
第２の照度センサは、光学装置よりも観察者側に配置されている請求項４又は請求項５に記載の表示装置。
【請求項７】
（イ）観察者の頭部に装着される眼鏡型のフレーム、及び、
（ロ）フレームに取り付けられた画像表示装置、
を備えた表示装置であって、
画像表示装置は、
（Ａ）画像形成装置、及び、
（Ｂ）画像形成装置から出射された光が入射され、導光され、出射される光学装置、
を備えており、
光が出射される光学装置の領域には、外部から入射する外光の光量を調整する調光装置が配設されており、
表示装置の置かれた環境の照度を測定する照度センサを更に備えており、
照度センサの測定結果に基づき、調光装置の透過率を制御する表示装置。
【請求項８】
（イ）観察者の頭部に装着される眼鏡型のフレーム、及び、
（ロ）フレームに取り付けられた画像表示装置、
を備えた表示装置であって、
画像表示装置は、
（Ａ）画像形成装置、及び、
（Ｂ）画像形成装置から出射された光が入射され、導光され、出射される光学装置、
を備えており、
光が出射される光学装置の領域には、外部から入射する外光の光量を調整する調光装置が配設されており、
表示装置の置かれた環境の照度を測定する照度センサを更に備えており、
照度センサの測定結果に基づき、画像形成装置によって形成される画像の輝度を制御する表示装置。
【請求項９】
（イ）観察者の頭部に装着される眼鏡型のフレーム、及び、
（ロ）フレームに取り付けられた画像表示装置、
を備えた表示装置であって、
画像表示装置は、
（Ａ）画像形成装置、及び、
（Ｂ）画像形成装置から出射された光が入射され、導光され、出射される光学装置、
を備えており、
光が出射される光学装置の領域には、外部から入射する外光の光量を調整する調光装置が配設されており、
外部環境から調光装置を透過した光に基づく照度を測定する照度センサを更に備えており、
照度センサの測定結果に基づき、調光装置の透過率を制御する表示装置。
【請求項１０】
（イ）観察者の頭部に装着される眼鏡型のフレーム、及び、
（ロ）フレームに取り付けられた画像表示装置、
を備えた表示装置であって、
画像表示装置は、
（Ａ）画像形成装置、及び、
（Ｂ）画像形成装置から出射された光が入射され、導光され、出射される光学装置、
を備えており、
光が出射される光学装置の領域には、外部から入射する外光の光量を調整する調光装置が配設されており、
外部環境から調光装置を透過した光に基づく照度を測定する照度センサを更に備えており、
照度センサの測定結果に基づき、画像形成装置によって形成される画像の輝度を制御する表示装置。
【請求項１１】
調光装置の最高透過率は５０％以上であり、調光装置の最低透過率は３０％以下である請求項１乃至請求項１０のいずれか１項に記載の表示装置。
【請求項１２】
照度センサの測定結果が所定値以上になったとき、調光装置の透過率を所定の値以下とする請求項２乃至請求項１０のいずれか１項に記載の表示装置。
【請求項１３】
照度センサの測定結果が所定値以下になったとき、調光装置の透過率を所定の値以上とする請求項２乃至請求項１０のいずれか１項に記載の表示装置。
【請求項１４】
調光装置を通過する光は、調光装置によって所望の色に着色される請求項１乃至請求項１３のいずれか１項に記載の表示装置。
【請求項１５】
調光装置によって着色される色は可変である請求項１４に記載の表示装置。
【請求項１６】
調光装置によって着色される色は固定である請求項１４に記載の表示装置。
【請求項１７】
光学装置の光が出射される領域に、調光装置が着脱自在に配設されている請求項１乃至請求項１６のいずれか１項に記載の表示装置。
【請求項１８】
光学装置は、
（ａ）入射された光が内部を全反射により伝播した後、出射される導光板、
（ｂ）導光板に入射された光が導光板の内部で全反射されるように、導光板に入射された光を偏向させる第１偏向手段、及び、
（ｃ）導光板の内部を全反射により伝播した光を導光板から出射させるために、導光板の内部を全反射により伝播した光を複数回に亙り偏向させる第２偏向手段、
を備えている請求項１乃至請求項１７のいずれか１項に記載の表示装置。
【請求項１９】
調光装置の射影像内に第２偏向手段が位置する請求項１８に記載の表示装置。
【請求項２０】
調光装置を構成する基板の一方によって、第２偏向手段は被覆されている請求項１９に記載の表示装置。
【手続補正２】
【補正対象書類名】明細書
【補正対象項目名】００３０
【補正方法】変更
【補正の内容】
【００３０】
更には、以上に説明した種々の好ましい形態、構成を含む本開示の第１の態様〜第５の態様に係る表示装置において、光学装置の光が出射される領域に、調光装置が着脱自在に配設されている形態とすることができるし、あるいは又、調光装置が固定されている形態とすることができる。調光装置を着脱自在に配設するためには、例えば、透明なプラスチックから作製されたビスを用いて調光装置を光学装置に取り付け、調光装置の透過率を制御するための制御回路（例えば、画像形成装置を制御するための制御装置に含まれている）にコネクタ及び配線を介して接続すればよい。調光装置を着脱自在に配設するためには、例えば、透明なプラスチックから作製されたビスを用いて調光装置を例えばフレームに取り付け、あるいは又、フレームに溝を切っておき、この溝に調光装置を係合させ、あるいは又、フレームに磁石を取り付けることで調光装置をフレームに取り付けることができるし、フレームにスライド部を設け、このスライド部に調光装置を嵌め込んでもよい。また、調光装置にコネクタを取り付け、調光装置の透過率を制御するための制御回路（例えば、画像形成装置を制御するための制御装置に含まれている）にこのコネクタ及び配線を介して調光装置を電気的に接続すればよい。
【手続補正３】
【補正対象書類名】明細書
【補正対象項目名】０２０７
【補正方法】変更
【補正の内容】
【０２０７】
このように、実施例１３にあっては、外部から送られてきた指定識別符号及び／又は表示時間情報の受信が制御装置６１８において失敗した場合でも、再度、あるいは、繰り返し、指定識別符号及び表示時間情報の受信を試行することができる。それ故、指定識別符号及び表示時間情報を確実に受信することができる。その結果、例えば、複数の表示装置において指定識別符号及び表示時間情報を受信する場合でも、複数の表示装置において、確実に、同時に同じ画像の表示が可能となるし、表示装置において画像が表示できないという問題の発生を確実に回避することができる。
【手続補正４】
【補正対象書類名】明細書
【補正対象項目名】０２０９
【補正方法】変更
【補正の内容】
【０２０９】
尚、実施例１３にあっては（あるいは後述する実施例１４〜実施例１６の表示装置にあっては、必要に応じて）、
制御装置６１８に備えられた記憶手段には、画像（例えば、字幕）を表示するための複数の文字データから構成されたデータ群が記憶されており、
データ群を構成する各文字データにはデータ識別符号が付されており、
制御装置６１８は、外部から所定の時間間隔で送られてきた指定識別符号及び表示時間情報を受け取り、送られてきた指定識別符号とデータ識別符号が一致する文字データを記憶手段から読み出し、
送られてきた表示時間情報に相当する時間の間、この文字データに基づく画像が画像形成装置において表示される構成とすることができる。
【手続補正５】
【補正対象書類名】明細書
【補正対象項目名】０２１６
【補正方法】変更
【補正の内容】
【０２１６】
このように、実施例１４の表示装置にあっては、制御装置６１８において、送られてきた指定識別符号とデータ識別符号が一致する文字データの内、観察対象物と表示装置との間の距離に依存して、複数の異サイズ・表示データから１つの異サイズ・表示データを記憶手段から読み出し、この１つの異サイズ・表示データに基づく画像を画像形成装置において表示するので、観察対象物の目視される大きさと画像の大きさとの間に不釣り合いが生じ難い。
【手続補正６】
【補正対象書類名】明細書
【補正対象項目名】０２１７
【補正方法】変更
【補正の内容】
【０２１７】
尚、実施例１４の表示装置にあっては、
制御装置６１８に備えられた記憶手段には、複数の文字データから構成されたデータ群が記憶されており、
データ群を構成する各文字データにはデータ識別符号が付されており、
各文字データは、表示サイズが異なる複数の異サイズ・表示データから構成されており、
制御装置６１８は、外部から送られてきた指定識別符号を受け取り、送られてきた指定識別符号とデータ識別符号が一致する文字データの内、観察対象物と表示装置との間の距離に依存して、複数の異サイズ・表示データから１つの異サイズ・表示データを記憶手段から読み出し、
この１つの異サイズ・表示データに基づく画像が画像形成装置において表示される構成とすることができる。
【手続補正７】
【補正対象書類名】明細書
【補正対象項目名】０２１８
【補正方法】変更
【補正の内容】
【０２１８】
また、実施例１３にて説明した表示装置と実施例１４にて説明した表示装置とを組み合わせることができる。即ち、実施例１３にて説明した表示装置において、
各文字データは、表示サイズが異なる複数の異サイズ・表示データから構成されており、
制御装置６１８は、送られてきた指定識別符号とデータ識別符号が一致する文字データの内、観察対象物と表示装置との間の距離に依存して、複数の異サイズ・表示データから１つの異サイズ・表示データを記憶手段から読み出し、
この１つの異サイズ・表示データに基づく画像が画像形成装置において表示される構成とすることができる。
【手続補正８】
【補正対象書類名】明細書
【補正対象項目名】０２２０
【補正方法】変更
【補正の内容】
【０２２０】
但し、実施例１３と異なり、各文字データは、表示言語が異なる複数の異言語・表示データから構成されている。例えば、言語として、中国語、韓国語、英語等を挙げることができる。具体的には、実施例１５にあっては、表示言語が異なる表示データとして、異なる言語の文字列を画像とした画像データとする。尚、１つの異言語・表示データのデータ構造は、図２５に示したと同様とすることができ、各文字データには、実施例１３と同様に、データ識別符号が付されている。
【手続補正９】
【補正対象書類名】明細書
【補正対象項目名】０２２２
【補正方法】変更
【補正の内容】
【０２２２】
このように、実施例１５の表示装置にあっては、制御装置６１８において、送られてきた指定識別符号とデータ識別符号が一致する文字データの内、複数の異言語・表示データから１つの異言語・表示データを記憶手段から読み出し、この１つの異言語・表示データに基づく画像を画像形成装置において表示するので、観察者（観客）の使用する言語での画像表示を容易に行うことができる。
【手続補正１０】
【補正対象書類名】明細書
【補正対象項目名】０２２５
【補正方法】変更
【補正の内容】
【０２２５】
尚、実施例１５の表示装置にあっては、
制御装置６１８に備えられた記憶手段には、複数の文字データから構成されたデータ群が記憶されており、
データ群を構成する各文字データにはデータ識別符号が付されており、
各文字データは、表示言語が異なる複数の異言語・表示データから構成されており、
制御装置６１８は、外部から送られてきた指定識別符号を受け取り、送られてきた指定識別符号とデータ識別符号が一致する文字データの内、複数の異言語・表示データから１つの異言語・表示データを記憶手段から読み出し、
この１つの異言語・表示データに基づく画像が画像形成装置において表示される構成とすることができる。
【手続補正１１】
【補正対象書類名】明細書
【補正対象項目名】０２２６
【補正方法】変更
【補正の内容】
【０２２６】
また、実施例１３にて説明した表示装置と実施例１５にて説明した表示装置とを組み合わせることができる。即ち、実施例１３にて説明した表示装置において、
各文字データは、表示言語が異なる複数の異言語・表示データから構成されており、
制御装置６１８は、送られてきた指定識別符号とデータ識別符号が一致する文字データの内、複数の異言語・表示データから１つの異言語・表示データを記憶手段から読み出し、
この１つの異言語・表示データに基づく画像が画像形成装置において表示される構成とすることができる。
【手続補正１２】
【補正対象書類名】明細書
【補正対象項目名】０２２７
【補正方法】変更
【補正の内容】
【０２２７】
また、実施例１４にて説明した表示装置と実施例１５にて説明した表示装置とを組み合わせることができる。即ち、実施例１４にて説明した表示装置において、
各異サイズ・表示データは、表示言語が異なる複数の異言語・表示データから構成されており、
制御装置６１８は、送られてきた指定識別符号とデータ識別符号が一致する文字データの内、観察対象物と表示装置との間の距離に依存して、複数の異サイズ・表示データから１つの異サイズ・表示データを選択し、更に、この１つの異サイズ・表示データにおいて、複数の異言語・表示データから１つの異言語・表示データを記憶手段から読み出し、
この１つの異言語・表示データに基づく画像が画像形成装置において表示される構成とすることができる。
【手続補正１３】
【補正対象書類名】明細書
【補正対象項目名】０２２８
【補正方法】変更
【補正の内容】
【０２２８】
また、実施例１３にて説明した表示装置と実施例１４、実施例１５にて説明した表示装置とを組み合わせることができる。即ち、実施例１３にて説明した表示装置において、
各異サイズ・表示データは、表示言語が異なる複数の異言語・表示データから構成されており、
制御装置６１８は、送られてきた指定識別符号とデータ識別符号が一致する文字データの内、観察対象物と表示装置との間の距離に依存して、複数の異サイズ・表示データから１つの異サイズ・表示データを選択し、更に、この１つの異サイズ・表示データにおいて、複数の異言語・表示データから１つの異言語・表示データを記憶手段から読み出し、
この１つの異言語・表示データに基づく画像が画像形成装置において表示される構成とすることができる。
【手続補正１４】
【補正対象書類名】明細書
【補正対象項目名】０２３２
【補正方法】変更
【補正の内容】
【０２３２】
即ち、実施例１６の表示装置にあっては、
制御装置６１８に備えられた記憶手段には、複数の文字データから構成されたデータ群が記憶されており、
データ群を構成する各文字データにはデータ識別符号が付されており、
制御装置６１８は、外部から送られてきた指定識別符号を受け取り、送られてきた指定識別符号とデータ識別符号が一致する文字データを記憶手段から読み出し、観察対象物と表示装置との間の距離に依存してデータ処理を行い、
輻輳角を制御した状態で、この文字データに基づく画像が画像形成装置において表示される構成とすることができる。
【手続補正１５】
【補正対象書類名】明細書
【補正対象項目名】０２３４
【補正方法】変更
【補正の内容】
【０２３４】
また、実施例１４にて説明した表示装置と実施例１６にて説明した表示装置とを組み合わせることができる。即ち、実施例１４にて説明した表示装置において、
各文字データは、表示サイズが異なる複数の異サイズ・表示データから構成されており、
制御装置６１８は、送られてきた指定識別符号とデータ識別符号が一致する文字データの内、観察対象物と表示装置との間の距離に依存して、複数の異サイズ・表示データから１つの異サイズ・表示データを記憶手段から読み出し、観察対象物と表示装置との間の距離に依存したデータ処理を行い、
輻輳角を制御した状態で、この１つの異サイズ・表示データに基づく画像が画像形成装置において表示される構成とすることができる。
【手続補正１６】
【補正対象書類名】明細書
【補正対象項目名】０２３５
【補正方法】変更
【補正の内容】
【０２３５】
また、実施例１４にて説明した表示装置と実施例１５、実施例１６にて説明した表示装置とを組み合わせることができる。即ち、実施例１４にて説明した表示装置において、
各異サイズ・表示データは、表示言語が異なる複数の異言語・表示データから構成されており、
制御装置６１８は、送られてきた指定識別符号とデータ識別符号が一致する文字データの内、観察対象物と表示装置との間の距離に依存して、複数の異サイズ・表示データから１つの異サイズ・表示データを選択し、更に、この１つの異サイズ・表示データにおいて、複数の異言語・表示データから１つの異言語・表示データを記憶手段から読み出し、観察対象物と表示装置との間の距離に依存したデータ処理を行い、
輻輳角を制御した状態で、この１つの異言語・表示データに基づく画像が画像形成装置において表示される構成とすることができる。
【手続補正１７】
【補正対象書類名】明細書
【補正対象項目名】０２３６
【補正方法】変更
【補正の内容】
【０２３６】
また、実施例１５にて説明した表示装置と実施例１６にて説明した表示装置とを組み合わせることができる。即ち、実施例１５にて説明した表示装置において、
各文字データは、表示言語が異なる複数の異言語・表示データから構成されており、
制御装置６１８は、送られてきた指定識別符号とデータ識別符号が一致する文字データの内、観察対象物と表示装置との間の距離に依存して、複数の異言語・表示データから１つの異言語・表示データを記憶手段から読み出し、観察対象物と表示装置との間の距離に依存したデータ処理を行い、
輻輳角を制御した状態で、この１つの異言語・表示データに基づく画像が画像形成装置において表示される構成とすることができる。
【手続補正１８】
【補正対象書類名】明細書
【補正対象項目名】０２７６
【補正方法】変更
【補正の内容】
【０２７６】
尚、以上に説明した実施例１７〜実施例２２の表示装置に対して、実施例１３〜実施例１６において説明した表示装置を適用することができ、これらの場合における表示装置は、本開示における第３Ａの表示装置〜第３Ｄの表示装置に該当する。
【手続補正１９】
【補正対象書類名】明細書
【補正対象項目名】０２８１
【補正方法】変更
【補正の内容】
【０２８１】
輻輳角を調整すると同時に、例えば、図１４における点「Ａ」に光学系１１２，２５４の焦点が合うように、即ち、光学系１１２，２５４の焦点距離を可変とするために、光学系１１２，２５４を液体レンズから構成してもよい。このような液体レンズの模式的な断面図を図３９に示し、平面図を図４０に示すが、液体レンズはフレネルレンズから構成され、リング状のレンズ室が同心に配置されている。
【手続補正２０】
【補正対象書類名】明細書
【補正対象項目名】０２９１
【補正方法】変更
【補正の内容】
【０２９１】
また、図４３に、例えば、実施例３の表示装置における画像表示装置の変形例の概念図を示すように、調光装置７００の第２基板７０３を導光板３２１と同程度の長さとし、調光装置７００の第２基板７０３を導光板３２１に対して封止部材７２２によって固定する。封止部材７２２は、第２基板７０３の外縁部に配すればよい。また、第２基板７０３の第１回折格子部材３３０と対向していない面には、導光板３２１の外へ光が漏れ出し、光利用効率が低下することを防止するための遮光部材７２１が形成されている。
【手続補正２１】
【補正対象書類名】明細書
【補正対象項目名】０２９３
【補正方法】変更
【補正の内容】
【０２９３】
尚、本開示は、以下のような構成を取ることもできる。
［１］《表示装置：本開示の第１の態様》
（イ）観察者の頭部に装着される眼鏡型のフレーム、及び、
（ロ）フレームに取り付けられた画像表示装置、
を備えた表示装置であって、
画像表示装置は、
（Ａ）画像形成装置、及び、
（Ｂ）画像形成装置から出射された光が入射され、導光され、出射される光学装置、
を備えており、
光が出射される光学装置の領域には、外部から入射する外光の光量を調整する調光装置が配設されており、
調光装置は、
対向する２枚の透明な基板、
各基板に設けられた電極、及び、
２枚の基板間に封止された電気泳動分散液、
から成る表示装置。
［２］表示装置の置かれた環境の照度を測定する照度センサ（環境照度測定センサ）を更に備えており、
照度センサ（環境照度測定センサ）の測定結果に基づき、調光装置の透過率を制御する［１］に記載の表示装置。
［３］表示装置の置かれた環境の照度を測定する照度センサ（環境照度測定センサ）を更に備えており、
照度センサ（環境照度測定センサ）の測定結果に基づき、画像形成装置によって形成される画像の輝度を制御する［１］又は［２］に記載の表示装置。
［４］外部環境から調光装置を透過した光に基づく照度を測定する第２の照度センサ（透過光照度測定センサ）を更に備えており、
第２の照度センサ（透過光照度測定センサ）の測定結果に基づき、調光装置の透過率を制御する［１］乃至［３］のいずれか１項に記載の表示装置。
［５］外部環境から調光装置を透過した光に基づく照度を測定する第２の照度センサ（透過光照度測定センサ）を更に備えており、
第２の照度センサ（透過光照度測定センサ）の測定結果に基づき、画像形成装置によって形成される画像の輝度を制御する［１］乃至［４］のいずれか１項に記載の表示装置。
［６］第２の照度センサ（透過光照度測定センサ）は、光学装置よりも観察者側に配置されている［４］又は［５］に記載の表示装置。
［７］《表示装置：本開示の第２の態様》
（イ）観察者の頭部に装着される眼鏡型のフレーム、及び、
（ロ）フレームに取り付けられた画像表示装置、
を備えた表示装置であって、
画像表示装置は、
（Ａ）画像形成装置、及び、
（Ｂ）画像形成装置から出射された光が入射され、導光され、出射される光学装置、
を備えており、
光が出射される光学装置の領域には、外部から入射する外光の光量を調整する調光装置が配設されており、
表示装置の置かれた環境の照度を測定する照度センサ（環境照度測定センサ）を更に備えており、
照度センサ（環境照度測定センサ）の測定結果に基づき、調光装置の透過率を制御する表示装置。
［８］《表示装置：本開示の第３の態様》
（イ）観察者の頭部に装着される眼鏡型のフレーム、及び、
（ロ）フレームに取り付けられた画像表示装置、
を備えた表示装置であって、
画像表示装置は、
（Ａ）画像形成装置、及び、
（Ｂ）画像形成装置から出射された光が入射され、導光され、出射される光学装置、
を備えており、
光が出射される光学装置の領域には、外部から入射する外光の光量を調整する調光装置が配設されており、
表示装置の置かれた環境の照度を測定する照度センサ（環境照度測定センサ）を更に備えており、
照度センサ（環境照度測定センサ）の測定結果に基づき、画像形成装置によって形成される画像の輝度を制御する表示装置。
［９］《表示装置：本開示の第４の態様》
（イ）観察者の頭部に装着される眼鏡型のフレーム、及び、
（ロ）フレームに取り付けられた画像表示装置、
を備えた表示装置であって、
画像表示装置は、
（Ａ）画像形成装置、及び、
（Ｂ）画像形成装置から出射された光が入射され、導光され、出射される光学装置、
を備えており、
光が出射される光学装置の領域には、外部から入射する外光の光量を調整する調光装置が配設されており、
外部環境から調光装置を透過した光に基づく照度を測定する照度センサ（透過光照度測定センサ）を更に備えており、
照度センサ（透過光照度測定センサ）の測定結果に基づき、調光装置の透過率を制御する表示装置。
［１０］《表示装置：本開示の第５の態様》
（イ）観察者の頭部に装着される眼鏡型のフレーム、及び、
（ロ）フレームに取り付けられた画像表示装置、
を備えた表示装置であって、
画像表示装置は、
（Ａ）画像形成装置、及び、
（Ｂ）画像形成装置から出射された光が入射され、導光され、出射される光学装置、
を備えており、
光が出射される光学装置の領域には、外部から入射する外光の光量を調整する調光装置が配設されており、
外部環境から調光装置を透過した光に基づく照度を測定する照度センサ（透過光照度測定センサ）を更に備えており、
照度センサ（透過光照度測定センサ）の測定結果に基づき、画像形成装置によって形成される画像の輝度を制御する表示装置。
［１１］照度センサ（透過光照度測定センサ）は、光学装置よりも観察者側に配置されている［９］又は［１０］に記載の表示装置。
［１２］調光装置の最高透過率は５０％以上であり、調光装置の最低透過率は３０％以下である［１］乃至［１１］のいずれか１項に記載の表示装置。
［１３］照度センサ（環境照度測定センサ）の測定結果が所定値以上になったとき、調光装置の透過率を所定の値以下とする［２］、［３］、［７］及び［８］のいずれか１項に記載の表示装置。
［１４］照度センサ（透過光照度測定センサ）の測定結果が所定値以上になったとき、調光装置の透過率を所定の値以下とする［４］、［５］、［６］、［９］、［１０］及び［１１］のいずれか１項に記載の表示装置。
［１５］照度センサ（環境照度測定センサ）の測定結果が所定値以下になったとき、調光装置の透過率を所定の値以上とする［２］、［３］、［７］及び［８］のいずれか１項に記載の表示装置。
［１６］照度センサ（透過光照度測定センサ）の測定結果が所定値以下になったとき、調光装置の透過率を所定の値以上とする［４］、［５］、［６］、［９］、［１０］及び［１１］のいずれか１項に記載の表示装置。
［１７］調光装置を通過する光は、調光装置によって所望の色に着色される［１］乃至［１４］のいずれか１項に記載の表示装置。
［１８］調光装置によって着色される色は可変である［１７］に記載の表示装置。
［１９］調光装置によって着色される色は固定である［１７］に記載の表示装置。
［２０］光学装置の光が出射される領域に、調光装置が着脱自在に配設されている［１］乃至［１９］のいずれか１項に記載の表示装置。
［２１］光学装置は、
（ａ）入射された光が内部を全反射により伝播した後、出射される導光板、
（ｂ）導光板に入射された光が導光板の内部で全反射されるように、導光板に入射された光を偏向させる第１偏向手段、及び、
（ｃ）導光板の内部を全反射により伝播した光を導光板から出射させるために、導光板の内部を全反射により伝播した光を複数回に亙り偏向させる第２偏向手段、
を備えている［１］乃至［２０］のいずれか１項に記載の表示装置。
［２２］調光装置の射影像内に第２偏向手段が位置する［２１］に記載の表示装置。
［２３］調光装置を構成する基板の一方によって、第２偏向手段は被覆されている［２２］に記載の表示装置。
【手続補正２２】
【補正対象書類名】図面
【補正対象項目名】図１
【補正方法】変更
【補正の内容】
【図１】
2012252091.tif 000001
【手続補正２３】
【補正対象書類名】図面
【補正対象項目名】図３
【補正方法】変更
【補正の内容】
【図３】
2012252091.tif 000002
【手続補正２４】
【補正対象書類名】図面
【補正対象項目名】図５
【補正方法】変更
【補正の内容】
【図５】
2012252091.tif 000003
【手続補正２５】
【補正対象書類名】図面
【補正対象項目名】図６
【補正方法】変更
【補正の内容】
【図６】
2012252091.tif 000004
【手続補正２６】
【補正対象書類名】図面
【補正対象項目名】図８
【補正方法】変更
【補正の内容】
【図８】
2012252091.tif 000005
【手続補正２７】
【補正対象書類名】図面
【補正対象項目名】図９
【補正方法】変更
【補正の内容】
【図９】
2012252091.tif 000006
【手続補正２８】
【補正対象書類名】図面
【補正対象項目名】図１２
【補正方法】変更
【補正の内容】
【図１２】
2012252091.tif 000007
【手続補正２９】
【補正対象書類名】図面
【補正対象項目名】図４４
【補正方法】変更
【補正の内容】
【図４４】
2012252091.tif 000008